(57)【要約】【課題】空気調和機における電力が供給される制御回路基板の保守点検やメンテナンス等の作業を行なう場合に、電源からの電力が非供給状態であることを確実に確認することができ、メンテナンス作業における事故の発生を確実に防止する。【解決手段】商用電源と太陽電池との２系統の電源から電力供給が可能な空気調和機において、取付部２７に着脱可能に取付けられ、電源から電力が供給される制御回路基板１８と、２系統の電源の少なくとも一方から電力が供給されていることを報知する報知装置１９と、を備え、報知装置１９は、取付部２７に取付けられた制御回路基板１８を覆う位置であって、この報知装置１９を取り外した場合に取付部２７からの制御回路基板１８の取外しが可能となる位置に着脱可能に取付けられている。【選択図】    図３
2009097777.tif 000002
【特許請求の範囲】
【請求項１】
商用電源と太陽電池との２系統の電源から電力供給が可能な空気調和機において、
取付部に着脱可能に取付けられ、前記電源から電力が供給される制御回路基板と、
２系統の前記電源の少なくとも一方から電力が供給されていることを報知する報知装置と、を備え、
前記報知装置は、前記取付部に取付けられた前記制御回路基板を覆う位置であって、この報知装置を取り外した場合に前記取付部からの前記制御回路基板の取外しが可能となる位置に着脱可能に取付けられていることを特徴とする空気調和機。
【請求項２】
前記商用電源を整流する整流回路と、この整流回路によって整流された直流電圧を入力として圧縮機を駆動するスイッチング素子とを備え、前記太陽電池の直流出力を前記整流後の直流電圧部分に接続したことを特徴とする請求項１記載の空気調和機。
【請求項３】
前記直流電圧を電源として前記制御回路基板に電力を供給する電源回路が設けられ、この電源回路の出力に前記報知装置を接続したことを特徴とする請求項２記載の空気調和機。
【発明の詳細な説明】
【技術分野】
【０００１】
本発明は、空気調和機に関し、特に、商用電源と太陽電池との２系統の電源から電力の供給が可能な空気調和機に関する。
【背景技術】
【０００２】
例えば、下記特許文献１に記載されているように、商用電源と太陽電池との２系統の電源から電力の供給が可能な空気調和機が知られている。
【０００３】
また、空気調和機では、保守点検やメンテナンス等の作業の安全性を考慮し、商用電源から電力が供給されていることを報知する報知装置（例えば、ＬＥＤランプ）を設ける場合が多い。このため、空気調和機における電力が供給される部分（例えば、制御回路基板、モータ等）の保守点検やメンテナンス等の作業を行なう作業者は、報知装置において報知されていないことを確認し、この確認を行なった後にメンテナンス等の作業を行ない、作業中における感電事故の発生を防止するようにしている。
【特許文献１】特開２００５−３３７６３９号公報
【発明の開示】
【発明が解決しようとする課題】
【０００４】
しかしながら、このような報知装置としては、制御回路基板上に設けたＬＥＤランプが用いられることが多く、メンテナンス等の作業を行なう作業者が、報知装置からの報知（ＬＥＤランプの点灯）を見落とす場合がある。報知装置からの報知見落として作業を行なうと、感電事故の発生につながり易い。
【０００５】
本発明はこのような課題を解決するためになされたものであり、その目的は、空気調和機における電力が供給される制御回路基板の保守点検やメンテナンス等の作業を行なう場合に、電源からの電力が供給されていないことを確実に確認することができ、メンテナンス等の作業中における感電事故の発生を確実に防止することができる空気調和機を提供することである。
【課題を解決するための手段】
【０００６】
本発明の実施の形態に係る第１の特徴は、商用電源と太陽電池との２系統の電源から電力供給が可能な空気調和機において、取付部に着脱可能に取付けられ、前記電源から電力が供給される制御回路基板と、２系統の前記電源の少なくとも一方から電力が供給されていることを報知する報知装置と、を備え、前記報知装置は、前記取付部に取付けられた前記制御回路基板を覆う位置であって、この報知装置を取り外した場合に前記取付部からの前記制御回路基板の取外しが可能となる位置に着脱可能に取付けられていることである。
【０００７】
なお、報知装置が制御回路基板を覆う位置に位置しているとは、報知装置が手前側に位置し、その奥側に制御回路基板が位置していることを意味する。制御回路基板が報知装置の投影面内に位置している場合のみを意味するものではない。
【発明の効果】
【０００８】
本発明によれば、空気調和機における電力が供給される制御回路基板の保守点検やメンテナンス等の作業を行なう場合には、制御回路基板に対して電力が供給されていないことを確実に確認することができ、メンテナンス等の作業中における感電事故の発生を確実に防止することができる。
【発明を実施するための最良の形態】
【０００９】
以下、本発明の実施の形態を図面を用いて説明する。
【００１０】
（第１の実施の形態）
本発明の第１の実施の形態に係る空気調和機の室外機１の電気的な接続構造を、図１に基づいて説明する。この室外機１は、商用電源２と太陽電池３との２系統の電源から電力の供給が可能である。太陽電池３で発電がなされると、商用電源２から供給される電力は、太陽電池３から供給される分だけ低減することができる。このため、省エネルギーとなる。商用電源２は、室外機１の外部に設けられた開閉器４を介して室外機１のインバータ５に接続されている。
【００１１】
インバータ５は、商用電源２の交流電圧を整流する整流回路６と、この整流回路６の出力電圧を平滑化する平滑コンデンサ７と、平滑コンデンサ７に接続されたスイッチング素子８とを有している。スイッチング素子８は、制御部であるＭＣＵ（Machine Control Unit）９からの指令に応じたスイッチング動作を行い、整流回路６及び平滑コンデンサ７から供給される直流電圧を所定周波数の交流電圧に変換し、出力する。この出力が、圧縮機１０を駆動する圧縮機モータ１１に駆動電力として供給される。
【００１２】
太陽電池３は、太陽電池３への逆電圧印加を防ぐためのダイオード１４と、室外機１の外部に設けられた開閉器１５と、端子台１６と、室外機１の内部に設けられた開閉器１７とを介して、インバータ５の直流電圧ライン（スイッチング素子８の入力側）に直接接続されている。
【００１３】
太陽電池３の正常時の発電出力直流電圧は、商用電源２の交流電力を整流回路６にて整流後の直流電圧よりも若干高めになるように設定されている。この結果、商用電源２から供給される電力は、太陽電池３から供給される分だけ低減することができる。また、太陽電池３の直流出力は、昇圧回路等を介することなく、直接直流部に供給されるため、昇圧回路による変換ロスがない。なお、商用電源２の整流後の直流電圧は約２８０Ｖとなるため、太陽電池３の動作時の直流出力は３００Ｖ程度になるように設定されている。したがって、直流電圧ラインの電圧は、インバータ５の運転状態によって変動するが、おおよそ直流２８０Ｖ前後となる。
【００１４】
室外機１には、ＭＣＵ９を含む各種の電子部品が実装された制御回路基板１８と、報知装置１９とが設けられている。制御回路基板１８は、インバータ５の直流電圧ラインに接続され、その電圧を降下させる電源回路２０から電力が供給される。
【００１５】
報知装置１９は、支持板２１とこの支持板２１に支持された表示用ＬＥＤ２２とを有している。表示用ＬＥＤ２２は、低電圧電源回路２０の低電圧出力側（二次出力側；例えば、１２Ｖや５Ｖの出力側）に接続されている。
【００１６】
室外機１は、図２及び図３に示すように筐体２３を有し、この筐体２３の内部に、ファンモータ１３により駆動される上下二段に配置されたファン１２と、熱交換器２４と、報知装置１９と、制御回路基板１８と、その他の機器とが収容されている。熱交換器２４は、空気調和機の室内機（図示せず）内に収容された熱交換器に接続されている。
【００１７】
筐体２３の内部は、ファン１２や熱交換器２４が収容された熱交換器室３０と、雨水が入らないように仕切板２５により熱交換器室３０と仕切られ、圧縮機１０や制御回路基板１８及び報知装置１９が収容された機械室４０とに区分されている。制御回路基板１８や報知装置１９が収容された機械室４０は、外装板の一部である機械室パネル２６により開閉可能に覆われている。図２は、室外機１の正面側の外装板すべてを開放して熱交換器室３０及び機械室４０の両方を露出した状態を示している。実際に制御回路基板１８を点検・修理する場合は、図３に示すように機械室パネル２６の両端に設けられたネジ４１を外し、機械室パネル２６のみを取り外して作業を行なう。
【００１８】
筐体２３内の仕切板２５には電気部品の取付部である取付用板金２７が固定され、この取付用板金２７には制御回路基板１８を取付けるための平坦な取付面２７ａが形成されている。制御回路基板１８は、取付用板金２７の取付面２７ａにスぺーサ２８を介して着脱可能にネジ止めされている。取付用板金２７は、万が一、仕切板２５表面に水が付いた場合であっても、制御回路基板１８上の電気部品には水分が付着しないようにするためのものである。
【００１９】
取付用板金２７には、制御回路基板１８の周囲を囲む位置に複数の支持部材２９の一端が固定され、これらの支持部材２９の他端側に、報知装置１９が着脱可能にネジ止めされている。支持部材２９にネジ止めされた報知装置１９の取付位置は、取付用板金２７にネジ止めされた制御回路基板１８の正面側を覆う位置であって、報知装置１９を支持部材２９から取り外した場合に制御回路基板１８を取付用板金２７から取外すことが可能となる位置とされている。即ち、報知装置１９が支持部材２９に取付けられている状態では、制御回路基板１８を取付用板金２７から取外すことができないようになっている。
【００２０】
このような構成において、室外機１は、商用電源２と太陽電池３との少なくとも一方から電力を供給されて運転される。室外機１に電力が供給されている場合には、電源回路２０を介して報知装置１９に電力が供給されて表示用ＬＥＤ２２が点灯し、表示用ＬＥＤ２２が点灯することにより室外機１に電力が供給されていることが報知される。
【００２１】
制御回路基板１８の保守点検やメンテナンス等の作業を行なう場合には、作業の安全性を確保するため、室外機１への電力の供給を遮断する必要がある。室外機１への電力の供給を遮断する場合には、商用電源２側の開閉器４を“開”にするとともに、太陽電池３側の開閉器１５を“開”にする。報知装置１９の電源は、直流電圧ラインに接続されている電源回路２０であるため、両方の開閉器４、１５が共に開放され、直流電圧ラインの電圧がほぼ０となると、報知装置１９の表示用ＬＥＤ２２への電力の供給が断たれ、表示用ＬＥＤ２２が消灯する。
【００２２】
ここで、直流電圧ラインの途中には平滑コンデンサ７が存在するため、両方の開閉器４、１５を開放しても、平滑コンデンサ７に蓄積された電荷がなくなるまで電源回路２０は出力が可能である。したがって、厳密には、両方の開閉器４、１５が共に開放され、その後、平滑コンデンサ７の蓄積電荷がなくなるまでは、表示用ＬＥＤ２２は点灯したままとなる。逆に言うと、両方の開閉器４、１５を開放しても平滑コンデンサ７の蓄積電荷が溜まっている間は、直流電圧ラインは高電圧となっており、接触すると感電する可能性があることを意味している。
【００２３】
これに対し、報知装置１９の電源として、直流電圧ラインに接続されている電源回路２０を用いたため、平滑コンデンサ７の蓄積電荷がなくなるまでは表示用ＬＥＤ２２が点灯し続けることから、安全性が高まる。さらに、電源回路２０は、表示用ＬＥＤ２２を駆動することで直流電圧ラインの電力を消費し続けるため、平滑コンデンサ７の蓄積電荷を早く低下させることができる。
【００２４】
制御回路基板１８の保守点検やメンテナンス等の作業は、開閉器４、１５を“開”にし、機械室パネル２６を開放し、報知装置１９を支持部材２９から取外し、さらに、制御回路基板１８を取付用板金２７から取外して行なう。
【００２５】
しかし、何らかの手違いや勘違いにより、双方の開閉器４、１５を“開”にせず、室外機１に電力が供給された状態のまま制御回路基板１８の保守点検やメンテナンス等の作業を開始する場合がある。この場合は、報知装置１９の表示用ＬＥＤ２２は点灯している。
【００２６】
双方の開閉器４、１５を“開”にしない状態で機械室パネル２６を開くと、制御回路基板１８を覆う位置に位置している報知装置１９の表示用ＬＥＤ２２が点灯していることが、作業者の目に入る。しかも、制御回路基板１８のメンテナンス等を行なう前に報知装置１９を支持部材２９から取外す必要があるため、機械室パネル２６を開いた直後に表示用ＬＥＤ２２の点灯に気付かなくとも、報知装置１９の取外し作業を行なえば、表示用ＬＥＤ２２の点灯に気付く。
【００２７】
このため、作業者は、制御回路基板１８を取付用板金２７から取外す作業に入る前に、開閉器４、１５が“開”になっていないことを認識することができる。これにより、室外機１に電力が供給されていることを認識した作業者は、開閉器４、１５を“開”にする操作を行うことができ、制御回路基板１８のメンテナンス等の作業中における感電事故の発生を確実に防止することができる。
【００２８】
報知装置１９の表示用ＬＥＤ２２は、商用電源２又は太陽電池３から供給される電力の電圧を降下させる電源回路２０の低電圧出力側に接続されている。このため、表示用ＬＥＤ２２に供給される電力の電圧が低電圧となり、表示用ＬＥＤ２２及び表示用ＬＥＤ２２への配線として、低電圧対応の安価な構造のものを使用することができ、報知装置１９を安価な構成とすることができる。
【００２９】
（第２の実施の形態）
本発明の第２の実施の形態に係る空気調和機の室外機３１の構成を図４に基づいて説明する。なお、図１ないし図３において説明した構成要素と同じ構成要素には同じ符号を付し、重複する説明は省略する。
【００３０】
この室外機３１の基本的構成は第１の実施の形態で説明した室外機１と同じであり、異なる部分は、室外機３１の筐体２３内に収容される部材として、第２の制御回路基板３２が追加されている点である。
【００３１】
筐体２３内に設けられた仕切板２５には、取付部である第２の取付用板金３３が固定されている。第２の取付用板金３３の形状は第１の実施の形態で説明した取付用板金２７と略同じであり、第２の取付用板金３３には第２の制御回路基板３２を取付けるための平坦な取付面３３ａが形成されている。第２の制御回路基板３２は、第２の取付用板金３３の取付面３３ａにスぺーサ２８を介して着脱可能にネジ止めされている。
【００３２】
第２の取付用板金３３と取付用板金２７とは、取付面３３ａと取付面２７ａとが約９０°の角度をもって向かい合う位置に配置されている。そして、支持部材２９の他端側にネジ止めされた報知装置１９の取付位置は、第２の取付用板金３３にネジ止めされた第２の制御回路基板３２の側面側を覆う位置であって、報知装置１９を支持部材２９から取り外した場合に第２の制御回路基板３２を第２の取付用板金３３から取外すことが可能となる位置とされている。即ち、報知装置１９が支持部材２９に取付けられている状態では、第２の制御回路基板３２を第２の取付用板金３３から取外すことができないようになっている。
【００３３】
このような構成において、双方の開閉器４、１５を“開”にせず、室外機１に電力が供給された状態のまま制御回路基板１８の保守点検やメンテナンス等の作業を開始する場合がある。この場合は、報知装置１９の表示用ＬＥＤ２２は点灯している。
【００３４】
このような場合、双方の開閉器４、１５を“開”にしない状態で機械室パネル２６を開くと、制御回路基板１８及び第２の制御回路基板３２を覆う位置に位置している報知装置１９の表示用ＬＥＤ２２が点灯していることが、作業者の目に入る。しかも、制御回路基板１８及び第２の制御回路基板３２のメンテナンス等を行なう前に報知装置１９を支持部材２９から取外す必要があるため、機械室パネル２６を開いた直後に表示用ＬＥＤ２２の点灯に気付かなくとも、報知装置１９の取外し作業を行なえば、表示用ＬＥＤ２２の点灯に気付く。
【００３５】
このため、作業者は、制御回路基板１８を取付用板金２７から取外す作業、及び、第２の制御回路基板３２を第２の取付用板金３３から取外す作業に入る前に、開閉器４、１５が“開”になっていないために室外機３１に電力が供給されていることを認識することができる。これにより、室外機３１に電力が供給されていることを認識した作業者は、開閉器４、１５を“開”とする操作を行うことができ、制御回路基板１８や第２の制御回路基板３２のメンテナンス等の作業中における感電事故の発生を確実に防止することができる。
【図面の簡単な説明】
【００３６】
【図１】本発明の第１の実施の形態に係る空気調和機の室外機の電気的な接続構造を示すブロック図である。
【図２】室外機の構造を示す正面図である。
【図３】室外機の内部構造を示す水平断面図である。
【図４】本発明の第２の実施の形態に係る空気調和機の室外機の内部構造を示す水平断面図である。
【符号の説明】
【００３７】
２…商用電源、３…太陽電池、６…整流回路、８…スイッチング素子、１０…圧縮機、１８…制御回路基板、１９…報知装置、２０…電源回路、２７…取付用板金（取付部）、３２…第２の制御回路基板、３３…第２の取付用板金（取付部）
【図１】
2009097777.tif 000003
【図２】
2009097777.tif 000004
【図３】
2009097777.tif 000005
【図４】
2009097777.tif 000006